(57)【要約】      （修正有）【課題】近接無線通信のフロントエンド無線周波数（ＲＦ）の電圧を制限する方法及びデバイスを提供する。【解決手段】ＲＦを制限するためのデバイス（ＲＦリミッタ１００）は、電源切断又は電源投入の間に、無効制御信号がデジタルコントローラから受信されるまで、ＲＦ入力の電圧を予め定められた安全範囲に制限するよう構成されたアナログリミッタと、アナログリミッタによって順次供給される複数の分流電流を検出し、プリセットされた電流検出コードの各ビットの値を決定して制限電圧を検出するよう構成された検出回路と、プリセットされた電流検出コードの各ビットの値に基づいて、ＲＦ制限機能を実行するようデジタルリミッタを制御し、制限電圧が予め定められた許容電圧範囲内にある場合、ＲＦ入力の電圧の制限を停止するようアナログリミッタを制御するように構成されたデジタルコントローラとを含む。【選択図】図１
2018082426.tif 000002
【特許請求の範囲】
【請求項１】
無線周波数（ＲＦ）電圧を制限するデバイスであって、
アナログリミッタと、検出回路と、デジタルコントローラと、デジタルリミッタとを備え、
前記アナログリミッタは、電源切断又は電源投入の間に、無効制御信号が前記デジタルコントローラから受信されるまで、ＲＦ入力の電圧を予め定められた安全範囲に制限し、分流電流及び制限電圧を前記検出回路に供給するよう構成され、
前記検出回路は、前記アナログリミッタにより順次供給される複数の分流電流を検出し、プリセットされた電流検出コードの各ビットの値を、対応する検出した分流電流に基づいて決定し、生成した前記各ビットの値を前記デジタルコントローラに送信するよう構成され、さらに前記プリセットされた電流検出コードの前記各ビットの値が決定された後に、前記アナログリミッタにより供給された前記制限電圧を検出し、検出した前記制限電圧を複数の予め定められた基準電圧範囲と比較し、前記比較の結果に基づいて電圧比較信号を生成して、生成した前記電圧比較信号を前記デジタルコントローラに送信するよう構成され、
前記デジタルコントローラは、前記プリセットされた電流検出コードの前記各ビットの値に基づいて制御ビットを生成し、対応する制限ユニットによってＲＦ制限機能を実行するよう前記デジタルリミッタを制御し、前記アナログリミッタにより供給された前記制限電圧がどの電圧範囲内にあるかを、前記電圧比較信号に基づいて判定し、前記制限電圧が予め定められた許容電圧範囲内にある場合、無効制御信号を前記アナログリミッタに送信するよう構成され、
前記デジタルリミッタは、前記デジタルコントローラから受信した前記制御ビットに基づいて、内部にある対応する制限ユニットによってＲＦ制限機能を実行するよう構成される、
デバイス。
【請求項２】
前記検出回路は、電流検出回路部と、電圧検出回路部と、検出回路入力端子及び基準入力端子を有するコンパレータとを含み、
前記電流検出回路部は、前記アナログリミッタによって順次供給される前記複数の分流電流を検出し、検出した前記複数の分流電流のそれぞれを前記コンパレータの前記検出回路入力端子に供給するよう構成され、
前記電圧検出回路部は、前記アナログリミッタによって供給される前記制限電圧を検出し、検出した前記制限電圧を前記コンパレータの前記検出回路入力端子に供給するよう構成され、
前記コンパレータは、プリセットされた電流検出コードの各ビットの値を、対応する検出した分流電流に基づいて決定し、生成した前記各ビットの値を前記デジタルコントローラに送信し、前記制限電圧を複数の予め定められた基準電圧範囲と比較し、前記比較の結果に基づいて電圧比較信号を生成し、生成した前記電圧比較信号を前記デジタルコントローラに送信するよう構成される、
請求項１に記載のデバイス。
【請求項３】
前記コンパレータはさらに、プリセットされた電流検出コードの各ビットの値を、対応する検出した分流電流と対応する予め定められた基準電流値との比較の結果に基づいて決定するよう構成され、前記プリセットされた電流検出コードの各ビットは、前記デジタルコントローラによって制御される予め定められた異なる基準電流値に対応し、
前記デジタルコントローラはさらに、前記検出回路によって決定される前記プリセットされた電流検出コードの次のビットに基づいて、対応する前記予め定められた基準電流値の調整を制御するよう構成される、
請求項２に記載のデバイス。
【請求項４】
前記検出回路はさらに、対応する検出した分流電流の対応する予め定められた比率と、予め定められた基準電流値との比較の結果に基づいて、プリセットされた電流検出コードの各ビットの値を決定するよう構成され、前記プリセットされた電流検出コードの各ビットは、前記デジタルコントローラによって制御される予め定められた異なる比率に対応し、
前記デジタルコントローラはさらに、前記検出回路によって決定される前記プリセットされた電流検出コードの次のビットに基づいて、対応する検出した前記分流電流の対応する前記予め定められた比率の調整を制御するよう構成される、
請求項２に記載のデバイス。
【請求項５】
前記コンパレータはさらに、前記コンパレータの前記基準入力端子に接続する基準電流値発生器を含み、前記デジタルコントローラからの電流値調整制御信号に基づいて、対応する前記予め定められた基準電流値を調整するよう構成される、
請求項２から４のいずれか一項に記載のデバイス。
【請求項６】
前記コンパレータはさらに、前記コンパレータの前記基準入力端子に接続する基準電圧値発生器を含み、前記デジタルコントローラからの電圧値調整制御信号に基づいて、前記基準入力端子に供給される前記予め定められた基準電圧範囲を調整するよう構成される、
請求項２から５のいずれか一項に記載のデバイス。
【請求項７】
前記デジタルコントローラはさらに、検出した前記制限電圧が予め定められたニーポイントと一致するか判定し、検出した前記制限電圧が前記予め定められたニーポイントと一致しない場合、検出した前記制限電圧をシフトして前記予め定められたニーポイントと一致させるために、前記アナログリミッタの少なくとも１つのパラメータを調整するように前記アナログリミッタを制御するよう構成される、
請求項１から６のいずれか一項に記載のデバイス。
【請求項８】
前記デジタルコントローラはさらに、プリセットされたルックアップテーブルから、感度の制御値、フレーム遅延タイミング（ＦＤＴ）の制御値、及び負荷変調の制御値を、検出した前記制限電圧に基づいて取得し、前記取得した値をＡＳＫ変調ユニットに送信してＡＳＫ変調及び復調を制御するよう構成される、
請求項１から７のいずれか一項に記載のデバイス。
【請求項９】
前記アナログリミッタは、
前記検出回路に接続され、前記制限電圧を前記検出回路に供給するよう構成された整流器と、
電源切断又は電源投入の間に、ＲＦ入力の電圧を予め定められた安全範囲に制限するよう構成された２つのトランジスタと、
前記複数の分流電流を前記検出回路に順次供給するために前記検出回路に接続され、前記無効制御信号が前記デジタルコントローラから受信された場合に、前記アナログリミッタを無効にする、制限電圧発生ユニットと
を含む、
請求項１から８のいずれか一項に記載のデバイス。
【請求項１０】
無線周波数（ＲＦ）電圧を制限するための方法であって、
電源切断又は電源投入の間に、アナログリミッタによってＲＦ入力の電圧を予め定められた安全範囲に制限する段階と、
前記アナログリミッタにより順次供給される複数の分流電流を検出回路によって検出し、プリセットされた電流検出コードの各ビットの値を、対応する検出した分流電流に基づいて決定し、生成した前記各ビットの値をデジタルコントローラに送信する段階であって、各ビットは予め定められた基準電流値に対応する、段階と、
対応する制限ユニットによってＲＦ制限機能を実行するように前記デジタルリミッタを制御し、前記プリセットされた電流検出コードの前記各ビットの値に基づいて、前記デジタルコントローラによって制御ビットを生成する段階と、
前記プリセットされた電流検出コードの前記各ビットの値が決定された後に、前記アナログリミッタにより供給される制限電圧を前記検出回路によって検出し、検出した前記制限電圧を前記検出回路によって複数の予め定められた基準電圧範囲と比較し、前記比較の結果に基づいて電圧比較信号を生成し、生成した前記電圧比較信号を前記デジタルコントローラに送信する段階と、
前記アナログリミッタにより供給される前記制限電圧を、前記電圧比較信号に基づいて前記デジタルコントローラによって決定し、前記制限電圧が予め定められた許容電圧範囲内にある場合に無効制御信号を生成し、生成した前記無効制御信号を前記アナログリミッタに送信する段階と、
前記無効制御信号を前記デジタルコントローラから受信した後に、前記ＲＦ入力の前記電圧の制限を前記アナログリミッタによって停止する段階と
を備える
方法。
【請求項１１】
プリセットされた電流検出コードの各ビットの値を、対応する検出した分流電流に基づいて前記決定する段階はさらに、プリセットされた電流検出コードの各ビットの値を、対応する検出した分流電流と対応する予め定められた基準電流値との比較の結果に基づいて決定する段階を含み、前記プリセットされた電流検出コードの各ビットは、前記デジタルコントローラによって制御される予め定められた異なる基準電流値に対応し、
前記方法はさらに、前記検出回路によって決定される前記プリセットされた電流検出コードの次のビットに基づいて、対応する検出された前記分流電流の対応する前記予め定められた比率の調整を、前記デジタルコントローラによって制御する段階を含む、
請求項１０に記載の方法。
【請求項１２】
プリセットされた電流検出コードの各ビットの値を、対応する検出した分流電流に基づいて前記決定する段階はさらに、プリセットされた電流検出コードの各ビットの値を、対応する検出した分流電流の対応する予め定められた比率と予め定められた基準電流値との比較の結果に基づいて決定する段階を含み、前記プリセットされた電流検出コードの各ビットは、前記デジタルコントローラによって制御される予め定められた異なる比率に対応し、
前記方法はさらに、前記検出回路によって決定される前記プリセットされた電流検出コードの次のビットに基づいて、対応する検出された前記分流電流の対応する前記予め定められた比率の調整を、前記デジタルコントローラによって制御する段階を含む、
請求項１０に記載の方法。
【請求項１３】
前記デジタルコントローラからの電流値調整制御信号に基づいて、対応する前記予め定められた基準電流値を前記検出回路によって調整する段階をさらに備える、
請求項１１又は１２に記載の方法。
【請求項１４】
前記デジタルコントローラからの電圧値調整制御信号に基づいて、基準入力端子に供給される前記予め定められた基準電圧範囲を前記検出回路によって調整する段階をさらに備える、
請求項１１又は１２に記載の方法。
【請求項１５】
検出した前記制限電圧が予め定められたニーポイントと一致するかを前記デジタルコントローラによって判定し、検出した前記制限電圧が前記予め定められたニーポイントと一致しない場合、検出した前記制限電圧をシフトして前記予め定められたニーポイントと一致させるために、前記アナログリミッタの少なくとも１つのパラメータを調整するよう前記デジタルコントローラによって前記アナログリミッタを制御する段階をさらに備える、
請求項１０から１４のいずれか一項に記載の方法。
【請求項１６】
プリセットされたルックアップテーブルから、感度の制御値、フレーム遅延タイミング（ＦＤＴ）の制御値、及び負荷変調の制御値を、検出した前記制限電圧に基づいて前記デジタルコントローラによって取得し、前記取得した値をＡＳＫ変調ユニットに送信してＡＳＫ変調及び復調を制御する段階をさらに備える、
請求項１０から１５のいずれか一項に記載の方法。
【発明の詳細な説明】
【技術分野】
【０００１】
本発明は、無線周波数（ＲＦ）電圧の制限に関し、詳細には、近距離無線通信のフロントエンド無線周波数の電圧を制限する方法及びデバイスに関する。
【背景技術】
【０００２】
近距離無線通信（ＮＦＣ）又は無線自動識別（ＲＦＩＤ）システムは、典型的に４ｃｍまでの通信距離を有する短距離通信である。電磁伝送を用いる遠距離通信システムとは異なり、ＮＦＣは、データ交換に磁界結合を用いる。
【０００３】
０．１５Ａ／ｍから１２Ａ／ｍまでという広い磁界のダイナミックレンジのもとで、ＮＦＣデバイスのフロントエンドは、ＲＦ制限なしで、１Ｖ未満から数十ボルトの電圧範囲の中にある。信頼性及び正常動作の点では、厚膜ゲートデバイスの信頼性の高い動作範囲内で、ＮＦＣデバイスのＲＦ入力電圧を３．６Ｖ以下に制限するために、ＲＦリミッタが必要とされる。同時に、送信機及び受信機の両方についてＮＦＣ規格に規定された振幅シフトキーイング（ＡＳＫ）変調は、ＮＦＣのフロントエンドでＡＳＫ変調信号が歪まないように、ＲＦリミッタが線形であることを必要とする。
【０００４】
一般に、ＲＦリミッタは、ＮＦＣデバイスを保護するために高速応答であること、すなわち、非常に短い時定数であることが必要とされ、同時に、ＮＦＣデバイスのフロントエンドでＡＳＫ変調信号を歪ませないために低速応答であること、すなわち、非常に長い時定数であることが必要とされる。
【０００５】
典型的な従来のアナログリミッタは、ＡＳＫ変調に対する歪みを減少させるために、低速応答用の大容量オンチップコンデンサを採用している。しかし、この解決手段は、低速応答が原因で信頼性リスクをもたらすことがあり、例えば、ＮＦＣデバイスは低速応答に起因して損傷を受ける可能性があり、磁界強度が急速に変化したとき、安定するまでの時間が拡大する可能性がある。さらに、従来のアナログリミッタは、アクティブ／電源投入モードでだけ機能することができ、電源切断モードの間は保護を提供することができない。
【０００６】
したがって、ＡＳＫ変調信号の完全性を維持すること、及びＮＦＣデバイスが低速応答に起因して損傷を受けないように保護することの両方が可能なＲＦリミッタを提供することが望ましい。
【発明の概要】
【０００７】
本発明の実施形態は、ＮＦＣのフロントエンドでのＡＳＫ変調信号の完全性を維持するため、及びＮＦＣデバイスを低速応答に起因した損傷から保護するための両方を目的に、ＮＦＣデバイスのフロントエンドのＲＦ電圧を制限する解決手段を提供する。
【０００８】
本発明の１つの態様によると、ＲＦ電圧を制限するデバイスが提供される。ＲＦリミッタは、アナログリミッタと、検出回路と、デジタルコントローラと、デジタルリミッタとを備え、アナログリミッタは、電源切断又は電源投入の間に、無効制御信号がデジタルコントローラから受信されるまで、ＲＦ入力の電圧を予め定められた安全範囲に制限し、分流電流及び制限電圧を検出回路に供給するよう構成され、検出回路は、アナログリミッタにより順次供給される複数の分流電流を検出し、プリセットされた電流検出コードの各ビットの値を、対応する検出した分流電流に基づいて決定し、生成した各ビットの値をデジタルコントローラに送信するよう構成され、さらにプリセットされた電流検出コードの各ビットの値が決定された後に、アナログリミッタにより供給された制限電圧を検出し、検出した制限電圧を複数の予め定められた基準電圧範囲と比較し、この比較の結果に基づいて電圧比較信号を生成して、生成した電圧比較信号をデジタルコントローラに送信するよう構成され、デジタルコントローラは、プリセットされた電流検出コードの各ビットの値に基づいて制御ビットを生成し、対応する制限ユニットによってＲＦ制限機能を実行するようデジタルリミッタを制御し、アナログリミッタにより供給された制限電圧がどの電圧範囲内にあるかを電圧比較信号に基づいて判定し、制限電圧が予め定められた許容電圧範囲内にある場合、無効制御信号をアナログリミッタに送信するよう構成され、デジタルリミッタは、デジタルコントローラから受信した制御ビットに基づいて、内部にある対応する制限ユニットによってＲＦ制限機能を実行するよう構成される。
【０００９】
本発明の別の態様によると、ＲＦ電圧を制限する方法が提供され、本方法は、電源切断又は電源投入の間に、アナログリミッタによってＲＦ入力の電圧を予め定められた安全範囲に制限する段階と、アナログリミッタにより順次供給される複数の分流電流を検出回路によって検出し、プリセットされた電流検出コードの各ビットの値を、対応する検出した分流電流に基づいて決定し、生成した各ビットの値をデジタルコントローラに送信する段階であって、各ビットは予め定められた基準電流値に対応する、段階と、デジタルリミッタを制御して対応する制限ユニットによってＲＦ制限機能を実行するために、プリセットされた電流検出コードの各ビットの値に基づいて、デジタルコントローラによって制御ビットを生成する段階と、プリセットされた電流検出コードの各ビットの値が決定された後に、アナログリミッタにより供給される制限電圧を検出回路によって検出し、検出した制限電圧を検出回路によって複数の予め定められた基準電圧範囲と比較し、この比較の結果に基づいて電圧比較信号を生成し、生成した電圧比較信号をデジタルコントローラに送信する段階と、アナログリミッタにより供給される制限電圧を、電圧比較信号に基づいてデジタルコントローラによって決定し、制限電圧が予め定められた許容電圧範囲内にある場合に無効制御信号を生成し、生成した無効制御信号をアナログリミッタに送信する段階と、無効制御信号をデジタルコントローラから受信した後に、ＲＦ入力の電圧制限をアナログリミッタによって停止する段階とを備える。
【００１０】
本発明の実施形態により供給されるＲＦを制限するためのデバイス及び方法を用いて、ＮＦＣデバイスが電源投入モード及び電源切断モードの間の両方で保護され得るのは、高速応答のアナログリミッタが電源投入段階でデバイス保護を提供するのに用いられ、アナログリミッタに含まれるオンチップ整流器が電源切断モードの間であってもデバイス保護を可能にするからである。同時に、ＮＦＣのフロントエンドにおいてＡＳＫ変調信号の完全性が維持され得るのは、デジタルリミッタが、電源投入後にＲＦ制限機能を引き継ぐようデジタルコントローラによって制御されるからである。読み取りデバイスとのデータ通信中に、ＲＦ制限機能を提供するデジタルリミッタは動作しているが、ＡＳＫ変調信号に歪みをもたらさない、すなわち、ＡＳＫ受信機の性能を犠牲にすることはない。
【図面の簡単な説明】
【００１１】
本発明は、添付図面を参照して詳細に説明される。
【図１】本発明の１つの実施形態に係るＲＦリミッタを示すブロック図である。
【図２】本発明の１つの実施形態に係る図１のＲＦリミッタの各コンポーネントの詳細な構造を示すブロック図である。
【図３】本発明の１つの実施形態に係る検出回路の電流検出回路部の詳細な構造を示す回路図である。
【図４】本発明の１つの実施形態に係る検出回路の電圧検出回路部の詳細な構造を示す回路図である。
【図５】本発明の１つの実施形態に係るデジタルリミッタの詳細な構造を示す。
【図６】本発明の１つの実施形態に係る、ＮＦＣのフロントエンドのＲＦを制限する方法を示すフローチャートである。
【発明を実施するための形態】
【００１２】
以下の説明において、本発明の様々な例示的実施形態に関する十分な理解を提供するために、多数の具体的な詳細が説明される。しかし、本発明の実施形態は、これらの具体的な詳細のいくつか又は全てを用いることなく実施されてもよいことが、当業者には理解されよう。本明細書に用いられる用語は、特定の実施形態を説明することだけを目的としており、本発明の範囲を限定することを意図するものではないことが理解される。図面において、同様の参照数字は、いくつかの図の全体にわたり、同じ又は類似の機能又は特徴を指す。
【００１３】
本発明の実施形態は、ＲＦを制限するための解決手段を提供する。この解決手段は、既存のＲＦリミッタの欠点を克服するために、アナログリミッタ及びデジタルリミッタの両方の利点を活用する。高速応答のアナログリミッタは、電源投入段階の間に、又は非常に大きい磁界強度のもとでの異常な動作シナリオ中に、ＲＦ制限デバイスを保護するのに用いられる。オンチップ整流器が、ＲＦをＤＣに変換してアナログリミッタに供給するのに用いられ、これにより、電源切断モードであっても保護を可能にする。デジタルリミッタは、電源投入後にデジタルロジックがＲＦ制限機能を実行し始めたときに、保護を引き継ぐのに用いられる。読み取りデバイスとのデータ通信中に、保護を提供するデジタルリミッタは動作しているが、ＡＳＫ変調信号に歪みをもたらさない。
【００１４】
図１は、本発明の１つの実施形態に係るＲＦリミッタ１００を示すブロック図である。図１を参照すると、ＲＦリミッタ１００は、アナログリミッタ１１０と、検出回路１２０と、デジタルコントローラ１３０と、デジタルリミッタ１４０とを含む。
【００１５】
アナログリミッタ１１０は、電源切断又は電源投入の間に、無効制御信号がデジタルコントローラ１３０から受信されるまで、ＲＦ入力の電圧を予め定められた安全範囲、例えば３．６ボルト未満に制限し、分流電流及び制限電圧を検出回路１２０に供給するよう構成される。
【００１６】
検出回路１２０は、アナログリミッタ１１０により順次供給される複数の分流電流を検出し、プリセットされた電流検出コードの各ビットの値を、検出した対応する分流電流に基づいて決定し、生成した各ビットの値をデジタルコントローラ１３０に送信するよう構成される。
【００１７】
検出回路１２０はまた、プリセットされた電流検出コードのビットの全てが決定された後に、アナログリミッタ１１０により供給された制限電圧を検出し、検出した制限電圧を複数の予め定められた基準電圧範囲と比較し、その比較の結果に基づいて電圧比較信号を生成し、生成した電圧比較信号をデジタルコントローラ１３０に送信するよう構成される。
【００１８】
デジタルコントローラ１３０は、プリセットされた電流検出コードの各ビットの値に基づいて制御ビットを生成し、対応する制限ユニットによってＲＦ制限機能を実行するようにデジタルリミッタ１４０を制御するよう構成され、また、アナログリミッタ１１０により供給された制限電圧がどの電圧範囲内にあるかを、受信した電圧比較信号に基づいて判定し、制限電圧が予め定められた許容電圧範囲内にある場合、無効制御信号をアナログリミッタ１１０に送信するよう構成される。
【００１９】
デジタルリミッタ１４０は、デジタルコントローラ１３０から受信した制御ビットに基づいて、内部の対応する制限ユニットによってＲＦ制限機能を実行するよう構成される。
【００２０】
図２は、本発明の１つの実施形態に係る、図１のＲＦリミッタ１００の各コンポーネントの詳細な構造を示すブロック図である。
【００２１】
図２を参照すると、アナログリミッタ１１０は、入力信号、すなわち、制限電圧の振幅を検出回路１２０に供給するために検出回路１２０に接続された整流器と、電源切断又は電源投入の間にＲＦ入力の電圧を予め定められた安全範囲に制限するよう構成された２つのトランジスタと、複数の分流電流を順次検出回路１２０に供給し、無効制御信号がデジタルコントローラ１３０から受信された場合にアナログリミッタ１１０を無効にするよう構成された制限電圧発生ユニットとを含む。図２に示されるように、制限電圧発生ユニットは、入力において２つのトランジスタのゲートに接続され、複数の分流電流をグラウンドに順次供給し、複数の分流電流を検出回路１２０に供給するために検出回路１２０に接続され、無効制御信号がデジタルコントローラ１３０から受信された場合に、アナログリミッタ１１０を無効にする。それぞれの分流電流は入力での磁界強度を反映し、磁界強度はレプリカ回路にミラーリングされ、分流電流を測定するために検出回路１２０において電圧に変換される。
【００２２】
検出回路１２０は、電流検出回路部と、電圧検出回路部と、検出回路入力端子及び基準入力端子を有するコンパレータとを含む。
【００２３】
電流検出回路部は、アナログリミッタ１１０によって順次供給される複数の分流電流を検出し、検出した分流電流のそれぞれをコンパレータの検出回路入力端子に供給するよう構成される。
【００２４】
図３は、本発明の１つの実施形態に係る電流検出回路部の詳細な構造を示す回路図である。この回路において、コンパレータはまた、電流検出回路部とコンパレータとの間の接続を示すように示されている。電流検出回路部は、アナログリミッタ１１０によって順次供給される複数の分流電流を検出して、検出した分流電流のそれぞれをコンパレータの検出回路入力端子に供給するために、逐次比較ループ（ｓｕｃｃｅｓｓｉｖｅ  ａｐｐｒｏｘｉｍａｔｉｏｎ  ｌｏｏｐ）を用いるよう構成される。
【００２５】
電圧検出回路部は、アナログリミッタ１１０によって供給される制限電圧を検出し、検出した制限電圧をコンパレータの検出回路入力端子に供給するよう構成される。図４は、本発明の１つの実施形態に係る電圧検出回路部の詳細な構造を示す回路図である。
【００２６】
コンパレータは、プリセットされた電流検出コードの各ビットの値を、対応する検出した分流電流に基づいて決定し、生成した各ビットの値をデジタルコントローラ１３０に送信するよう構成され、また、制限電圧を複数の予め定められた基準電圧範囲と比較し、その比較の結果に基づいて電圧比較信号を生成して、生成した電圧比較信号をデジタルコントローラ１３０に送信するよう構成される。
【００２７】
１つの例において、コンパレータはさらに、対応する検出した分流電流と対応する予め定められた基準電流値との比較の結果に基づいて、プリセットされた電流検出コードの各ビットの値を決定するよう構成される。この例において、プリセットされた電流検出コードの各ビットは、予め定められた基準電流値に対応する。対応する予め定められた基準電流値の調整は、デジタルコントローラ１３０によって制御される。デジタルコントローラはさらに、検出回路によって決定されるプリセットされた電流検出コードの次のビットに基づいて、対応する予め定められた基準電流値の調整を制御するよう構成される。
【００２８】
別の例において、コンパレータはさらに、対応する検出した分流電流の対応する予め定められた比率と、予め定められた基準電流値との比較の結果に基づいて、プリセットされた電流検出コードの各ビットの値を決定するよう構成される。この例において、予め定められた基準電流値は固定値であり、プリセットされた電流検出コードの各ビットは、対応する検出した分流電流の予め定められた比率に対応する。対応する予め定められた比率の調整は、デジタルコントローラ１３０によって制御される。デジタルコントローラはさらに、検出回路によって決定されるプリセットされた電流検出コードの次のビットに基づいて、対応する検出した分流電流の対応する予め定められた比率の調整を制御するよう構成される。
【００２９】
図３を参照すると、コンパレータはさらに、コンパレータの基準入力端子に接続する基準電流値発生器を備え、デジタルコントローラからの電流値調整制御信号に基づいて、対応する予め定められた基準電流値を調整するよう構成される。図４を参照すると、コンパレータはさらに、コンパレータの基準入力端子に接続する基準電圧値発生器を備え、デジタルコントローラからの電圧値調整制御信号に基づいて、基準入力端子に供給される予め定められた基準電圧範囲を調整するよう構成される。
【００３０】
図２に示される実施形態において、デジタルコントローラ１３０の機能は、決定及び制御モジュールによって実行されてよい。すなわち、決定及び制御モジュールは、プリセットされた電流検出コードの各ビットの値に基づいて制御ビットを生成し、対応する制限ユニットによってＲＦ制限機能を実行するようにデジタルリミッタ１４０を制御するよう構成され、また、アナログリミッタ１１０によって供給される制限電圧がどの電圧範囲内にあるかを電圧比較信号に基づいて判定し、制限電圧が予め定められた許容電圧範囲内にある場合、無効制御信号をアナログリミッタ１１０に送信するよう構成される。
【００３１】
デジタルコントローラ１３０はさらに、検出した制限電圧が予め定められた「ニーポイント」と一致するかを判定し、プロセス及び温度の変動に起因して、検出した制限電圧が予め定められた「ニーポイント」に一致しない場合、アナログリミッタ１１０の少なくとも１つのパラメータ、例えば、制限電圧発生モジュールにおける電流対電圧の比率を調整するようアナログリミッタ１１０を制御し、制限電圧が予め定められた「ニーポイント」に一致することを確実にするために制限電圧を調整するよう構成されてよい。この機能は、１つの例において、デジタルコントローラ１３０にプリセットされたキャリブレーションユニットによって実行されてよい。
【００３２】
デジタルコントローラ１３０はさらに、プリセットされたルックアップテーブルから、感度の制御値、フレーム遅延タイミング（ＦＤＴ）の制御値、及び負荷変調の制御値を含むものを、検出した電圧に基づいて取得し、取得した値をＡＳＫ変調ユニットに送信してＡＳＫ変調及び復調を制御するよう構成されてよい。プリセットされたルックアップテーブルは、複数のマッピングを維持し、それぞれが、限定されるものではないが、感度の制御値、フレーム遅延タイミング（ＦＤＴ）の制御値、及び負荷変調の制御値を含む制御パラメータの群と電圧値との間のマッピングである。
【００３３】
デジタルコントローラ１３０はさらに、ＲＦ制限プロセスにより引き起こされた遅延を補償するために、ＡＳＫ変調ユニットを制御するよう構成されてよい。この機能は、図２に示されるように、デジタルコントローラ１３０にプリセットされた遅延補償ユニットによって実行されてよい。
【００３４】
図２に示されるように、デジタルリミッタ１４０は、ＲＦ制限機能を実行するための制限ユニットのアレイを含む。各制限ユニットは、デジタルコントローラ１３０によって生成される制御ビットに対応し、したがって、予め定められた基準電流値、又は検出した分流電流の予め定められた比率に対応する。図５は、本発明の１つの実施形態に係るデジタルリミッタの例を示す。このデジタルリミッタには、５つの制限ユニットであるｘ１、ｘ２、ｘ４、ｘ８、及びｘ１６が存在する。これらの制限ユニットのそれぞれは、予め定められた基準電流値、又は検出した分流電流の予め定められた比率に対応する。
【００３５】
図６は、本発明の１つの実施形態に係る、ＲＦを制限するための方法を示すフローチャートである。
【００３６】
ブロック６０１において、アナログリミッタ１１０はＲＦ入力を受信し、電源切断又は電源投入の間に、ＲＦ入力の電圧を予め定められた安全範囲、例えば、３．６Ｖ未満に制限するために高速応答を提供し、分流電流及び制限電圧を検出回路１２０に供給する。
【００３７】
ブロック６０２において、検出回路１２０は、アナログリミッタ１１０の分流電流を検出する電流検出回路部に切り替えられる。
【００３８】
ブロック６０３において、検出回路１２０は磁界を推定するために、予め定められた電流検出コードをスイープする。
【００３９】
具体的には、検出回路１２０は、アナログリミッタ１１０によって順次供給される複数の分流電流を検出し、プリセットされた電流検出コードの各ビットの値を決定する。
【００４０】
１つの例において、プリセットされた電流検出コードは５つのビット（ｂ１、ｂ２、ｂ３、ｂ４、ｂ５）を含むことができ、各ビットは予め定められた基準電流値に対応する。例えば、ｂ１は１００ｍＡに対応し、ｂ２は５０ｍＡに対応し、ｂ３は２５ｍＡに対応し、ｂ４は１２．５ｍＡに対応し、ｂ５は６．２５ｍＡに対応する。この例では、アナログリミッタ１１０によって供給される複数の分流電流を検出するために、逐次比較ループが検出回路１２０によって用いられる。このループは、プリセットされた電流検出コードの５つのビットの値、すなわち、比較の結果を決定する５つの段階を含む。検出回路１２０のコンパレータが、分流電流が予め定められた基準電流値に等しいかそれより大きいと判定する場合、比較の結果、すなわち、電流検出コードの対応するビットの値は１としてセットされてよく、それとは違って、分流電流が予め定められた基準電流値より小さい場合には、比較の結果は０としてセットされてよい。
【００４１】
別の例では、プリセットされた電流検出コードは５つのビット（ｂ１、ｂ２、ｂ３、ｂ４、ｂ５）を含むことができ、各ビットは、対応する検出した分流電流の予め定められた比率に対応する。例えば、ｂ１は１／１６に対応し、ｂ２は１／８に対応し、ｂ３は１／４に対応し、ｂ４は１／２に対応し、ｂ５は１に対応する。予め定められた基準電流値は、６．２５ｍＡである。この例では、アナログリミッタ１１０によって供給される複数の分流電流を検出するために、逐次比較ループが検出回路１２０によって用いられる。このループは、プリセットされた電流検出コードの５つのビットの値、すなわち、比較の結果を決定する５つの段階を含む。検出回路１２０のコンパレータが、検出した分流電流の対応する予め定められた比率が予め定められた基準電流値に等しいかそれより大きいと判定する場合、比較の結果、すなわち、電流検出コードの対応するビットの値は１としてセットされてよく、それとは違って、検出した分流電流の対応する予め定められた比率が予め定められた基準電流値より小さい場合には、比較の結果は０としてセットされてよい。
【００４２】
ブロック６０４において、デジタルコントローラ１３０は、各比較の結果、すなわち、検出回路１２０によって決定される電流検出コードの各ビットの値に基づいて制御ビットを生成し、ＲＦ制限機能を実行するデジタルリミッタ１４０の対応する制限ユニットを制御するのに、生成した制御ビットを用いる。対応する制限ユニットは、予め定められた電流検出コードのビットに対応する予め定められた基準電流値に比例した電流値を有する。
【００４３】
上述した例では、デジタルコントローラ１３０は、５つの制御ビット（ｃ１、ｃ２、ｃ３、ｃ４、ｃ５）を生成することになり、各制御ビットは、電流検出コードの対応するビットの値に基づいて生成され、ｃ１はｂ１に対応し、ｃ２はｂ２に対応し、ｃ３はｂ３に対応し、ｃ４はｂ４に対応し、ｃ５はｂ５に対応する。各制御ビットは、デジタルリミッタ１４０の制限ユニットに対応する。制御ビットｃ１は、デジタルリミッタ１４０の制限ユニットｘ１に対応し、ｃ２はデジタルリミッタ１４０の制限ユニットｘ２に対応し、ｃ３はデジタルリミッタ１４０の制限ユニットｘ４に対応し、ｃ４はデジタルリミッタ１４０の制限ユニットｘ８に対応し、ｃ５はデジタルリミッタ１４０の制限ユニットｘ１６に対応する。デジタルコントローラ１３０は、デジタルリミッタ１４０の対応する制限ユニットを制御してＲＦ制限機能を実行するために、制御ビットを用いることができる。
【００４４】
ブロック６０５において、検出回路１２０は、アナログリミッタ１１０の制限電圧を検出する電圧検出回路部に切り替えられる。
【００４５】
ブロック６０６において、検出回路１２０は、アナログリミッタ１１０の制限電圧を決定するために、プリセットされた電圧検出コードをスイープする。
【００４６】
具体的には、検出回路１２０は、アナログリミッタ１１０の制限電圧を検出し、プリセットされた電圧検出コードの各ビットの値を決定する。１つの例において、プリセットされた電圧検出コードは８つのビット（ｖ１、ｖ２、ｖ３、ｖ４、ｖ５、ｖ６、ｖ７、ｖ８）を含み、各ビットは予め定められた電圧範囲に対応する。検出回路１２０のコンパレータは、アナログリミッタ１１０の制限電圧を、予め定められた電圧範囲のそれぞれと比較し、制限電圧がどの電圧範囲内にあるかを判定する。
【００４７】
ブロック６０７において、デジタルコントローラ１３０は任意で、キャリブレーションのプロセスが行われたかをチェックし、行われていない場合、フローチャートはブロック６０９に進み、行われている場合、フローチャートはブロック６１０に進む。
【００４８】
ブロック６０８において、デジタルコントローラ１３０は任意で、アナログリミッタ１１０の判定した制限電圧を、予め定められた「ニーポイント」と比較する。判定した制限電圧が「ニーポイント」と一致しない場合、これは、プロセス及び温度の変動に起因して、制限後のＲＦ信号の振幅が期待される予め定められた値内にないことを意味する。デジタルコントローラ１３０は、アナログリミッタ１１０の少なくとも１つのパラメータを調整して制限電圧を調整し、制限電圧が予め定められた「ニーポイント」と一致すること確実にするよう、アナログリミッタ１１０を制御する。次に、フローチャートはブロック６０１に戻る。
【００４９】
ブロック６０９において、デジタルコントローラ１３０は、制限電圧が予め定められた安全範囲内にあるか、及び制限電圧が検出した分流電流と一致するかを判定し、電流制限状況を更新する必要があるかを判定する。更新する必要がある場合、フローチャートはブロック６１０に進み、そうでなければフローチャートはブロック６０１に進んでプロセスを再び行い、ＲＦ制限パラメータを最適なものに更新する。
【００５０】
ブロック６１０において、デジタルコントローラ１３０は、無効制御信号をアナログリミッタ１１０に送信し、ＲＦ制限機能の実行を停止するようアナログリミッタ１１０を制御する。
【００５１】
ブロック６１１において、デジタルコントローラ１３０は、プリセットされたルックアップテーブルから、感度の制御値、フレーム遅延タイミング（ＦＤＴ）の制御値、及び負荷変調の制御値を、検出した電圧に基づいて取得し、取得した値をＡＳＫ変調ユニットに送信してＡＳＫ変調及び復調を制御する。プリセットされたルックアップテーブルは、感度の制御値、フレーム遅延タイミング（ＦＤＴ）の制御値、及び負荷変調の制御値を含む一連の制御パラメータと電圧値との間の複数のマッピングを維持する。次に、フローチャートはブロック６０７に戻る。
【００５２】
ブロック６０７から、デジタルコントローラ１３０は、検出した電圧が安全範囲内にあるかを監視し続ける。検出した電圧が予め定義した安全範囲内にある場合、デジタルコントローラ１３０は、ＲＦ制限ブロックに対して何もアクションを取らない。検出した電圧が予め定義した安全範囲を超える場合、これは磁界強度が変化したことを意味し（ＮＦＣタグとＮＦＣリーダとの間の距離が変化したことが原因である可能性が高く、これは操作中には普通のことである）、この変化に応答するためにＲＦリミッタは更新されなければならない。デジタルコントローラは高速クロックで動作するので、デバイスを保護するための応答は非常に速い（１ｕＳ以内）。
【００５３】
上記のことから理解されるように、本発明の実施形態は、ＲＦリミッタと、このＲＦリミッタによってＲＦを制限するための方法とを提供する。このＲＦリミッタは、アナログリミッタ及びデジタルリミッタの両方を含む。ＲＦを制限するのに、大容量オンチップコンデンサは必要とされない。高速応答のアナログリミッタは、電源投入段階でＲＦリミッタに保護を提供することができる。さらに、アナログリミッタは、ＲＦをＤＣに変換してアナログリミッタに供給するためのオンチップ整流器を含み、これにより、電源切断モードであっても保護を可能にする。アナログリミッタによって供給される分流電流及び制限電圧を検出することで、デジタルリミッタは、デジタルコントローラによって制御され、電源投入後のＲＦ制限機能を引き継ぐ。読み取りデバイスとのデータ通信中に、ＲＦ制限機能を提供するデジタルリミッタは動作しているが、ＡＳＫ変調信号に歪みをもたらさない、すなわち、ＡＳＫ受信機の性能を犠牲にすることはない。さらに、デジタルリミッタによって提供されるデジタル処理は、磁界強度の変化に応じたＲＦリミッタの動的な調整を順応性の高いものにし、デジタル部は先進的なプロセス技術に移行しやすい。磁界強度、及びＲＦ信号振幅、すなわち、アナログリミッタによって供給される制限電圧は、リアルタイムで監視され、最高性能を求めてフロントエンド回路を最適化する、例えば、ＡＳＫ受信機の感度及び負荷変調器のスイッチングインピーダンスを最適化するのに用いられる。さらに、ＲＦリミッタのプロセス変動を最小化するために、キャリブレーションプロセスが追加される。
【００５４】
上述の実施形態及び特徴は、限定的ではなく例示的であるとみなされるべきことが理解される。本明細書を検討し本発明を実施することで、多数の他の実施形態が当業者には明らかとなろう。したがって、本発明の範囲は、添付の特許請求の範囲を参照し、そのような特許請求の範囲が権利を与える均等物の全範囲と共に決定されるべきである。さらに、特定の用語が説明の明確さを目的に用いられているが、開示された本発明の実施形態を制限するものではない。
【図１】
2018082426.tif 000003
【図２】
2018082426.tif 000004
【図３】
2018082426.tif 000005
【図４】
2018082426.tif 000006
【図５】
2018082426.tif 000007
【図６】
2018082426.tif 000008
【手続補正書】
【提出日】平成29年9月26日(2017.9.26)
【手続補正１】
【補正対象書類名】特許請求の範囲
【補正対象項目名】全文
【補正方法】変更
【補正の内容】
【特許請求の範囲】
【請求項１】
無線周波数（ＲＦ）電圧を制限するデバイスであって、
アナログリミッタと、検出回路と、デジタルコントローラと、デジタルリミッタとを備え、
前記アナログリミッタは、電源切断又は電源投入の間に、無効制御信号が前記デジタルコントローラから受信されるまで、ＲＦ入力の電圧を予め定められた安全範囲に制限し、分流電流及び制限電圧を前記検出回路に供給し、
前記検出回路は、前記アナログリミッタにより順次供給される複数の分流電流を検出し、プリセットされた電流検出コードの各ビットの値を、対応する検出した分流電流に基づいて決定し、生成した前記各ビットの値を前記デジタルコントローラに送信し、さらに前記プリセットされた電流検出コードの前記各ビットの値が決定された後に、前記アナログリミッタにより供給された前記制限電圧を検出し、検出した前記制限電圧を複数の予め定められた基準電圧範囲と比較し、前記比較の結果に基づいて電圧比較信号を生成して、生成した前記電圧比較信号を前記デジタルコントローラに送信し、
前記デジタルコントローラは、前記プリセットされた電流検出コードの前記各ビットの値に基づいて制御ビットを生成し、対応する制限ユニットによってＲＦ制限機能を実行するよう前記デジタルリミッタを制御し、前記アナログリミッタにより供給された前記制限電圧がどの電圧範囲内にあるかを、前記電圧比較信号に基づいて判定し、前記制限電圧が予め定められた許容電圧範囲内にある場合、無効制御信号を前記アナログリミッタに送信し、
前記デジタルリミッタは、前記デジタルコントローラから受信した前記制御ビットに基づいて、内部にある対応する制限ユニットによってＲＦ制限機能を実行する、
デバイス。
【請求項２】
前記検出回路は、電流検出回路部と、電圧検出回路部と、検出回路入力端子及び基準入力端子を有するコンパレータとを含み、
前記電流検出回路部は、前記アナログリミッタによって順次供給される前記複数の分流電流を検出し、検出した前記複数の分流電流のそれぞれを前記コンパレータの前記検出回路入力端子に供給し、
前記電圧検出回路部は、前記アナログリミッタによって供給される前記制限電圧を検出し、検出した前記制限電圧を前記コンパレータの前記検出回路入力端子に供給し、
前記コンパレータは、プリセットされた電流検出コードの各ビットの値を、対応する検出した分流電流に基づいて決定し、生成した前記各ビットの値を前記デジタルコントローラに送信し、前記制限電圧を複数の予め定められた基準電圧範囲と比較し、前記比較の結果に基づいて電圧比較信号を生成し、生成した前記電圧比較信号を前記デジタルコントローラに送信する、
請求項１に記載のデバイス。
【請求項３】
前記コンパレータはさらに、プリセットされた電流検出コードの各ビットの値を、対応する検出した分流電流と対応する予め定められた基準電流値との比較の結果に基づいて決定し、前記プリセットされた電流検出コードの各ビットは、前記デジタルコントローラによって制御される予め定められた異なる基準電流値に対応し、
前記デジタルコントローラはさらに、前記検出回路によって決定される前記プリセットされた電流検出コードの次のビットに基づいて、対応する前記予め定められた基準電流値の調整を制御する、
請求項２に記載のデバイス。
【請求項４】
前記検出回路はさらに、対応する検出した分流電流の対応する予め定められた比率と、予め定められた基準電流値との比較の結果に基づいて、プリセットされた電流検出コードの各ビットの値を決定し、前記プリセットされた電流検出コードの各ビットは、前記デジタルコントローラによって制御される予め定められた異なる比率に対応し、
前記デジタルコントローラはさらに、前記検出回路によって決定される前記プリセットされた電流検出コードの次のビットに基づいて、対応する検出した前記分流電流の対応する前記予め定められた比率の調整を制御する、
請求項２に記載のデバイス。
【請求項５】
前記コンパレータはさらに、前記コンパレータの前記基準入力端子に接続する基準電流値発生器を含み、前記デジタルコントローラからの電流値調整制御信号に基づいて、対応する前記予め定められた基準電流値を調整する、
請求項２から４のいずれか一項に記載のデバイス。
【請求項６】
前記コンパレータはさらに、前記コンパレータの前記基準入力端子に接続する基準電圧値発生器を含み、前記デジタルコントローラからの電圧値調整制御信号に基づいて、前記基準入力端子に供給される前記予め定められた基準電圧範囲を調整する、
請求項２から５のいずれか一項に記載のデバイス。
【請求項７】
前記デジタルコントローラはさらに、検出した前記制限電圧が予め定められたニーポイントと一致するか判定し、検出した前記制限電圧が前記予め定められたニーポイントと一致しない場合、検出した前記制限電圧をシフトして前記予め定められたニーポイントと一致させるために、前記アナログリミッタの少なくとも１つのパラメータを調整するように前記アナログリミッタを制御する、
請求項１から６のいずれか一項に記載のデバイス。
【請求項８】
前記デジタルコントローラはさらに、プリセットされたルックアップテーブルから、感度の制御値、フレーム遅延タイミング（ＦＤＴ）の制御値、及び負荷変調の制御値を、検出した前記制限電圧に基づいて取得し、前記取得した値をＡＳＫ変調ユニットに送信してＡＳＫ変調及び復調を制御する、
請求項１から７のいずれか一項に記載のデバイス。
【請求項９】
前記アナログリミッタは、
前記検出回路に接続され、前記制限電圧を前記検出回路に供給する整流器と、
電源切断又は電源投入の間に、ＲＦ入力の電圧を予め定められた安全範囲に制限する２つのトランジスタと、
前記複数の分流電流を前記検出回路に順次供給するために前記検出回路に接続され、前記無効制御信号が前記デジタルコントローラから受信された場合に、前記アナログリミッタを無効にする、制限電圧発生ユニットと
を含む、
請求項１から８のいずれか一項に記載のデバイス。
【請求項１０】
無線周波数（ＲＦ）電圧を制限するための方法であって、
電源切断又は電源投入の間に、アナログリミッタによってＲＦ入力の電圧を予め定められた安全範囲に制限する段階と、
前記アナログリミッタにより順次供給される複数の分流電流を検出回路によって検出し、プリセットされた電流検出コードの各ビットの値を、対応する検出した分流電流に基づいて決定し、生成した前記各ビットの値をデジタルコントローラに送信する段階であって、各ビットは予め定められた基準電流値に対応する、段階と、
対応する制限ユニットによってＲＦ制限機能を実行するようにデジタルリミッタを制御し、前記プリセットされた電流検出コードの前記各ビットの値に基づいて、前記デジタルコントローラによって制御ビットを生成する段階と、
前記プリセットされた電流検出コードの前記各ビットの値が決定された後に、前記アナログリミッタにより供給される制限電圧を前記検出回路によって検出し、検出した前記制限電圧を前記検出回路によって複数の予め定められた基準電圧範囲と比較し、前記比較の結果に基づいて電圧比較信号を生成し、生成した前記電圧比較信号を前記デジタルコントローラに送信する段階と、
前記アナログリミッタにより供給される前記制限電圧を、前記電圧比較信号に基づいて前記デジタルコントローラによって決定し、前記制限電圧が予め定められた許容電圧範囲内にある場合に無効制御信号を生成し、生成した前記無効制御信号を前記アナログリミッタに送信する段階と、
前記無効制御信号を前記デジタルコントローラから受信した後に、前記ＲＦ入力の前記電圧の制限を前記アナログリミッタによって停止する段階と
を備える
方法。
【請求項１１】
プリセットされた電流検出コードの各ビットの値を、対応する検出した分流電流に基づいて前記決定する段階はさらに、プリセットされた電流検出コードの各ビットの値を、対応する検出した分流電流と対応する予め定められた基準電流値との比較の結果に基づいて決定する段階を含み、前記プリセットされた電流検出コードの各ビットは、前記デジタルコントローラによって制御される予め定められた異なる基準電流値に対応し、
前記方法はさらに、前記検出回路によって決定される前記プリセットされた電流検出コードの次のビットに基づいて、対応する検出された前記分流電流の対応する前記予め定められた比率の調整を、前記デジタルコントローラによって制御する段階を含む、
請求項１０に記載の方法。
【請求項１２】
プリセットされた電流検出コードの各ビットの値を、対応する検出した分流電流に基づいて前記決定する段階はさらに、プリセットされた電流検出コードの各ビットの値を、対応する検出した分流電流の対応する予め定められた比率と予め定められた基準電流値との比較の結果に基づいて決定する段階を含み、前記プリセットされた電流検出コードの各ビットは、前記デジタルコントローラによって制御される予め定められた異なる比率に対応し、
前記方法はさらに、前記検出回路によって決定される前記プリセットされた電流検出コードの次のビットに基づいて、対応する検出された前記分流電流の対応する前記予め定められた比率の調整を、前記デジタルコントローラによって制御する段階を含む、
請求項１０に記載の方法。
【請求項１３】
前記デジタルコントローラからの電流値調整制御信号に基づいて、対応する前記予め定められた基準電流値を前記検出回路によって調整する段階をさらに備える、
請求項１１又は１２に記載の方法。
【請求項１４】
前記デジタルコントローラからの電圧値調整制御信号に基づいて、基準入力端子に供給される前記予め定められた基準電圧範囲を前記検出回路によって調整する段階をさらに備える、
請求項１１又は１２に記載の方法。
【請求項１５】
検出した前記制限電圧が予め定められたニーポイントと一致するかを前記デジタルコントローラによって判定し、検出した前記制限電圧が前記予め定められたニーポイントと一致しない場合、検出した前記制限電圧をシフトして前記予め定められたニーポイントと一致させるために、前記アナログリミッタの少なくとも１つのパラメータを調整するよう前記デジタルコントローラによって前記アナログリミッタを制御する段階をさらに備える、
請求項１０から１４のいずれか一項に記載の方法。
【請求項１６】
プリセットされたルックアップテーブルから、感度の制御値、フレーム遅延タイミング（ＦＤＴ）の制御値、及び負荷変調の制御値を、検出した前記制限電圧に基づいて前記デジタルコントローラによって取得し、前記取得した値をＡＳＫ変調ユニットに送信してＡＳＫ変調及び復調を制御する段階をさらに備える、
請求項１０から１５のいずれか一項に記載の方法。
【手続補正２】
【補正対象書類名】明細書
【補正対象項目名】００３２
【補正方法】変更
【補正の内容】
【００３２】
デジタルコントローラ１３０はさらに、プリセットされたルックアップテーブルから、感度の制御値、フレーム遅延タイミング（ＦＤＴ）の制御値、及び負荷変調の制御値を、検出した電圧に基づいて取得し、取得した値をＡＳＫ変調ユニットに送信してＡＳＫ変調及び復調を制御するよう構成されてよい。プリセットされたルックアップテーブルは、複数のマッピングを維持し、それぞれが、限定されるものではないが、感度の制御値、フレーム遅延タイミング（ＦＤＴ）の制御値、及び負荷変調の制御値を含む制御パラメータの群と電圧値との間のマッピングである。
【手続補正３】
【補正対象書類名】明細書
【補正対象項目名】００４７
【補正方法】変更
【補正の内容】
【００４７】
ブロック６０７において、デジタルコントローラ１３０は任意で、キャリブレーションのプロセスが行われたかをチェックし、行われていない場合、フローチャートはブロック６０８に進み、行われている場合、フローチャートはブロック６０９に進む。
【手続補正４】
【補正対象書類名】明細書
【補正対象項目名】００４８
【補正方法】変更
【補正の内容】
【００４８】
ブロック６０８において、デジタルコントローラ１３０は任意で、アナログリミッタ１１０の判定した制限電圧を、予め定められた「ニーポイント」と比較する。判定した制限電圧が「ニーポイント」と一致しない場合、これは、プロセス及び温度の変動に起因して、制限後のＲＦ信号の振幅が期待される予め定められた値内にないことを意味する。デジタルコントローラ１３０は、アナログリミッタ１１０の少なくとも１つのパラメータを調整して制限電圧を調整し、制限電圧が予め定められた「ニーポイント」と一致すること確実にするよう、アナログリミッタ１１０を制御する。次に、フローチャートはブロック６０２に戻る。
【外国語明細書】
2018082426000001.pdf